(57)【要約】【課題】折畳み式ゴミ収納庫の使い勝手を向上させること。【解決手段】本発明では、左右側壁と前後壁と蓋とでゴミ収納庫を形成し、後壁に蓋を上下回動自在に取付けるとともに、後壁と蓋との間に左右側壁と前壁とを収容可能とした折畳み式ゴミ収納庫において、ゴミ収納庫を収容状態から使用状態にするために蓋を開く場合、及び、ゴミ収納庫の使用状態において蓋を開く場合に蓋を開く方向に向けて回動させるように付勢する付勢手段を後壁と蓋との間に設けることにした。特に、前記付勢手段は、ゴミ収納庫を収容状態から使用状態にするために蓋を開く場合に、蓋の回転角度が所定角度までは蓋を閉じる方向に向けて回動させるように付勢し、その後、蓋の回転角度が所定角度を越えると蓋を開く方向に向けて回動させるように付勢することにした。【選択図】図４
2011001187.tif 000002
【特許請求の範囲】
【請求項１】
左右側壁と前後壁と蓋とでゴミ収納庫を形成し、後壁に蓋を上下回動自在に取付けるとともに、後壁と蓋との間に左右側壁と前壁とを収容可能とした折畳み式ゴミ収納庫において、
ゴミ収納庫を収容状態から使用状態にするために蓋を開く場合、及び、ゴミ収納庫の使用状態において蓋を開く場合に蓋を開く方向に向けて回動させるように付勢する付勢手段を後壁と蓋との間に設けたことを特徴とする折畳み式ゴミ収納庫。
【請求項２】
前記付勢手段は、ゴミ収納庫を収容状態から使用状態にするために蓋を開く場合に、蓋の回転角度が所定角度までは蓋を閉じる方向に向けて回動させるように付勢し、その後、蓋の回転角度が所定角度を越えると蓋を開く方向に向けて回動させるように付勢することを特徴とする請求項１に記載の折畳み式ゴミ収納庫。
【発明の詳細な説明】
【技術分野】
【０００１】
本発明は、左右側壁と前後壁と蓋とでゴミ収納庫を形成し、後壁に蓋を上下回動自在に取付けるとともに、後壁と蓋との間に左右側壁と前壁とを収容可能とした折畳み式ゴミ収納庫に関するものである。
【背景技術】
【０００２】
従来より、屋外に設置されるゴミ収納庫は、左右側壁と前後壁と蓋とで箱型状に形成され、左右側壁及び前後壁で区画される領域にゴミを収納するように構成されている。
【０００３】
このゴミ収納庫は、毎日使用されるものではなく、ゴミ収集日だけ使用され、それ以外の日には使用されることがなく、かえって通行の妨げとなっていた。
【０００４】
そのため、使用時には箱型状に展開してゴミ収納庫を形成する一方、使用しない時には後壁の内部に収容できるように構成した折畳み式ゴミ収納庫が考えられている。
【０００５】
この折畳み式ゴミ収納庫では、左右側壁と前後壁と蓋とでゴミ収納庫を形成し、後壁に蓋を上下回動自在に取付けるとともに、後壁と蓋との間に左右側壁と前壁とを収容可能に構成していた。
【先行技術文献】
【特許文献】
【０００６】
【特許文献１】特開２００５−２２５５９９号公報
【発明の概要】
【発明が解決しようとする課題】
【０００７】
ところが、上記従来の折畳み式ゴミ収納庫では、ゴミ収納庫を収容状態から使用状態にするために蓋を開く必要があり、また、ゴミ収納庫の使用状態においてゴミを収納するために蓋を開く必要があるため、蓋を開くための労力を要し、年配者や筋力の弱い者にとっては多大な負担となっており使い勝手の悪いものであった。
【課題を解決するための手段】
【０００８】
そこで、請求項１に係る本発明では、左右側壁と前後壁と蓋とでゴミ収納庫を形成し、後壁に蓋を上下回動自在に取付けるとともに、後壁と蓋との間に左右側壁と前壁とを収容可能とした折畳み式ゴミ収納庫において、ゴミ収納庫を収容状態から使用状態にするために蓋を開く場合、及び、ゴミ収納庫の使用状態において蓋を開く場合に蓋を開く方向に向けて回動させるように付勢する付勢手段を後壁と蓋との間に設けることにした。
【０００９】
また、請求項２に係る本発明では、前記請求項１に係る本発明において、前記付勢手段は、ゴミ収納庫を収容状態から使用状態にするために蓋を開く場合に、蓋の回転角度が所定角度までは蓋を閉じる方向に向けて回動させるように付勢し、その後、蓋の回転角度が所定角度を越えると蓋を開く方向に向けて回動させるように付勢することにした。
【発明の効果】
【００１０】
そして、本発明では、以下に記載する効果を奏する。
【００１１】
すなわち、本発明では、左右側壁と前後壁と蓋とでゴミ収納庫を形成し、後壁に蓋を上下回動自在に取付けるとともに、後壁と蓋との間に左右側壁と前壁とを収容可能とした折畳み式ゴミ収納庫において、ゴミ収納庫を収容状態から使用状態にするために蓋を開く場合、及び、ゴミ収納庫の使用状態において蓋を開く場合に蓋を開く方向に向けて回動させるように付勢する付勢手段を後壁と蓋との間に設けているために、蓋を開くための労力を軽減させることができ、折畳み式ゴミ収納庫の使い勝手を向上させることができる。
【００１２】
特に、付勢手段が、ゴミ収納庫を収容状態から使用状態にするために蓋を開く場合に、蓋の回転角度が所定角度までは蓋を閉じる方向に向けて回動させるように付勢し、その後、蓋の回転角度が所定角度を越えると蓋を開く方向に向けて回動させるように付勢することにした場合には、ゴミ収納庫の収容状態において不用意に蓋が開いてしまうのを防止することができ、折畳み式ゴミ収納庫の安全性を向上させることができる。
【図面の簡単な説明】
【００１３】
【図１】折畳み式ゴミ収納庫の使用状態を示す正面図。
【図２】同平面図。
【図３】同左側面図。
【図４】同右側面図。
【図５】同背面図。
【図６】折畳み式ゴミ収納庫の収容状態を示す平面図。
【図７】折畳み式ゴミ収納庫の展開状態を示す平面図。
【図８】折畳み式ゴミ収納庫の展開状態を示す平面図。
【図９】折畳み式ゴミ収納庫の展開状態を示す平面図。
【図１０】折畳み式ゴミ収納庫の展開状態を示す平面図。
【図１１】付勢手段の動作を示す説明図。
【発明を実施するための形態】
【００１４】
以下に、本発明に係る折畳み式ゴミ収納庫の具体的な構成について図面を参照しながら説明する。
【００１５】
図１〜図６に示すように、折畳み式ゴミ収納庫１は、地面２に埋設した矩形板状の底体３の後側上部に箱型状の後壁４を取付け、後壁４の右端前部に台形板状の右側壁５の後端部を水平回動自在に取付け、一方、後壁４の左端前部に台形板状の左側壁６の後端部を水平回動自在に取付けるとともに左側壁６の前端部に横長矩形板状の前壁７の左端部を水平回動自在に取付け、さらに、後壁４の上端前部に矩形板状の蓋８の後端部を上下回動自在に取付け、後壁４の左右端部と蓋８の左右端部との間に左右一対の付勢手段9,9を介設している。
【００１６】
この折畳み式ゴミ収納庫１は、使用状態においては、図１〜図５に示すように、底体３と前壁７と後壁４と右側壁５と左側壁６と蓋８とによって内部にゴミを収納する空間を形成したゴミ収納庫を形成し、前壁７と右側壁５と左側壁６とを後壁４と蓋８との間に収容することによって、図６に示すように、収容状態とすることができるようになっている。
【００１７】
この折畳み式ゴミ収納庫１について、折畳み式ゴミ収納庫１を構成する底体３、後壁４、右側壁５、左側壁６、前壁７、蓋８、付勢手段９に分けて以下に説明する。
【００１８】
まず底体３の構造について説明すると、底体３は、前後左右の縁部を下方に向けて折曲した矩形板状の底板10の四隅近傍にパイプ状の挿入孔11〜14を形成している。
【００１９】
次に、後壁４の構造について説明すると、後壁４は、底体３の底板10の後側左右端上部にブラケット15,15を介して取付けられており、矩形板状の後板16の左右端前部に縦長矩形板状の左右側板17,18を取付けるとともに、後板16の上端部と左右側板17,18の上端部とに横長矩形板状の天板19を取付けて、前方を開放した中空箱型状に形成し、天板19の前端部に蓋８の後端部（上端部）を上下回動自在に取付け、図６に示すように、内部に左右側壁5,6及び前壁７を収容できるようにしている。なお、後板16及び左右側板17,18は、上部を格子状の網とし、下部を透明状の板とし、天板19は、格子状の網としている。
【００２０】
また、後壁４は、左右側板17,18に上下に伸延する支柱20,20を取付け、各支柱20と蓋８の左右端部との間に付勢手段９を取付けている。
【００２１】
次に、右側壁５の構造について説明すると、右側壁５は、上部を格子状の網とし、下部を透明状の板とし、後端部（基端部）を後壁４の右側板18の前端部に上下一対の兆番21,21を介して水平回動自在に取付けている。
【００２２】
この右側壁５は、前端右側下部（先端外側下部）に中空円筒状の鞘管22を取付けている。この鞘管22には、使用状態において底体３の右前側の挿入孔12に挿通させる固定ピン（図示省略）を挿入するようにしている。
【００２３】
また、右側壁５は、前端左側部（先端内側部）に上下一対の中空円筒状の鞘管23,23を取付けている。
【００２４】
さらに、右側壁５は、前端上部（先端上部）に蓋８を係止するためのロックレバー24をブラケット25を介して前後回動自在に取付けている。
【００２５】
次に、左側壁６の構造について説明すると、左側壁６は、上部を格子状の網とし、下部を透明状の板とし、後端部（基端部）を後壁４の左側板17の前端部に上下一対の兆番26,26を介して水平回動自在に取付けている。
【００２６】
この左側壁６は、前端左側下部（先端外側下部）に中空円筒状の鞘管27を取付けている。この鞘管27には、使用状態において底体３の左前側の挿入孔11に挿通させる固定ピン（図示省略）を挿入するようにしている。
【００２７】
次に、前壁７の構造について説明すると、前壁７は、上部を格子状の網とし、下部を透明状の板とし、左端部（基端部）を左側壁６の前端右側部（先端内側部）に上下一対の兆番28,28を介して水平回動自在に取付けている。
【００２８】
この前壁７は、右端部（先端部）に上下一対の中空円筒状の鞘管29,29を取付けている。この鞘管29,29には、使用状態において右側壁５の鞘管23,23に挿通させる固定ピン（図示省略）を挿入するようにしている。
【００２９】
次に、蓋８の構造について説明すると、蓋８は、格子状の網とし、後壁４の天板19の前端部に左右一対の兆番30,30を介して上下回動自在に取付けている。
【００３０】
この蓋８は、前端部（先端部）に横長矩形貫通状の取っ手31を形成するとともに、前端右側部にロックレバー24を係止するための係止ピン32を形成している。
【００３１】
また、蓋８は、前端部（先端部）に左右一対の中空円筒状の鞘管33,33を取付けている。この鞘管33,33には、収容状態において底体３の後側の挿入孔13,14に挿通させる固定ピン（図示省略）を挿入するようにしている。
【００３２】
次に、付勢手段９は、左右の各支柱20の上部前側部に形成したブラケット34にガススプリング35の基端部を上下回動自在に取付ける一方、ガススプリング35の伸縮ロッド36の先端部を蓋８の左右中途部下側に形成したブラケット37に上下回動自在に取付けて、蓋８を開く方向に向けて回動させるように付勢している。
【００３３】
折畳み式ゴミ収納庫１は、以上に説明したように構成しており、図６に示すように、前壁７と右側壁５と左側壁６とを後壁４と蓋８との間に収容して、収容状態とすることができる。
【００３４】
この収容状態では、付勢手段９の付勢力に抗して蓋８を鉛直下向きとなる位置まで回転させ、鞘管33,33と挿入孔13,14とに挿通させた固定ピンで蓋８を閉じた状態としている。
【００３５】
そして、折畳み式ゴミ収納庫１は、以下に説明するようにして、収容状態から使用状態に変形することができる。
【００３６】
まず、鞘管33,33と挿入孔13,14とに挿通させた固定ピンを外す。すると、図７に示すように、付勢手段９の付勢力によって蓋８が上方に向けて回動して開いた状態となる。
【００３７】
その後、図８に示すように、右側壁５を前方に向けて90度回動させるとともに、右側壁５の鞘管22と底体３の右前側の挿入孔12に固定ピンを挿通させて右側壁５を固定する。
【００３８】
その後、図９に示すように、左側壁６を前壁７とともに前方に向けて90度回動させるとともに、左側壁６の鞘管27と底体３の左前側の挿入孔11に固定ピンを挿通させて左側壁６を固定する。
【００３９】
その後、図10に示すように、前壁７を前方に向けて90度回動させるとともに、前壁７の上下の鞘管29,29と右側壁５の上下の鞘管23,23に固定ピンをそれぞれ挿通させて前壁７を固定する。
【００４０】
その後、図１〜図５に示すように、蓋８を付勢手段９に抗して下方に向けて回動するとともに、ロックレバー24を蓋８の係止ピン32に係止して右側壁５に蓋８を係止する。
【００４１】
これにより、折畳み式ゴミ収納庫１は、底体３と前壁７と後壁４と右側壁５と左側壁６と蓋８とによって内部にゴミを収納するための空間を形成した使用状態となる。
【００４２】
そして、上記折畳み式ゴミ収納庫１では、図11に示すように、付勢手段９が、収容状態から使用状態にするために蓋８を開く場合（図11中、実線で示す状態から一点鎖線で示す状態にする場合）に蓋８を開く方向に向けて回動させるように付勢しており、しかも、使用状態において蓋８を開く場合（図11中、一点鎖線で示す状態から二点鎖線で示す状態にする場合）にも蓋８を開く方向に向けて回動させるように付勢している。
【００４３】
そのため、上記折畳み式ゴミ収納庫１では、付勢手段９の付勢力によって蓋８を開くための労力を軽減させることができ、折畳み式ゴミ収納庫１の使い勝手を向上させることができる。
【００４４】
ここで、付勢手段９は、収容状態から使用状態にするために蓋８を開く場合（図11中、実線で示す状態から一点鎖線で示す状態にする場合）に、常に蓋８を開く方向に向けて回動させるように付勢してもよいが、ガススプリング35の配置を適宜設定することによって、蓋８の回転角度が所定角度まで（図11中、点線で示す状態となるまで）は蓋８を閉じる方向に向けて回動させるように付勢し（すなわち、蓋８を前方に向けて回動させるとガススプリング35の伸縮ロッド36が縮むような位置にガススプリング35を配置し）、その後、蓋８の回転角度が所定角度を越えると（図11中、点線で示す状態から一点鎖線で示す状態となるまで）蓋８を開く方向に向けて回動させるように付勢（すなわち、蓋８を前方に向けて回動させるとガススプリング35の伸縮ロッド36が伸びるような位置にガススプリング35を配置し）することもできる。
【００４５】
このように、上記折畳み式ゴミ収納庫１では、付勢手段９が収容状態から使用状態にするために蓋８を開く場合に、蓋８の回転角度が所定角度までは蓋８を閉じる方向に向けて回動させるように付勢し、その後、蓋８の回転角度が所定角度を越えると蓋８を開く方向に向けて回動させるように付勢するようにした場合には、収容状態において不用意に蓋８が開いてしまうのを防止することができ、折畳み式ゴミ収納庫１の安全性を向上させることができる。
【符号の説明】
【００４６】
１  折畳み式ゴミ収納庫                ２  地面
３  底体                              ４  後壁
５  右側壁                            ６  左側壁
７  前壁                              ８  蓋
９  付勢手段                          10  底板
11〜14  挿入孔                        15  ブラケット
16  後板                              17  左側板
18  右側板                            19  天板
20  支柱                              21  兆番
22  鞘管                              23  鞘管
24  ロックレバー                      25  ブラケット
26  兆番                              27  鞘管
28  兆番                              29  鞘管
30  兆番                              31  取っ手
32  係止ピン                          33  鞘管
34  ブラケット                        35  ガススプリング
36  伸縮ロッド                        37  ブラケット
【図１】
2011001187.tif 000003
【図２】
2011001187.tif 000004
【図３】
2011001187.tif 000005
【図４】
2011001187.tif 000006
【図５】
2011001187.tif 000007
【図６】
2011001187.tif 000008
【図７】
2011001187.tif 000009
【図８】
2011001187.tif 000010
【図９】
2011001187.tif 000011
【図１０】
2011001187.tif 000012
【図１１】
2011001187.tif 000013